(57)【特許請求の範囲】
【請求項１】
間接活線用把持具の把持片の先端部によって任意の方向から把持される把持部を有する把持部構造において、
把持片の先端部を係止するように、前記把持部のうち、該先端部が当接する把持領域の周縁部に、複数の係止部が適宜配置され、
前記複数の係止部は、把持片の先端部の複数の頂部または複数の辺に係止することを特徴とする把持部構造。
【請求項２】
前記把持部は平面視円形状を呈し、前記係止部は、径内方向に突出する突起部が前記把持領域の周縁部に沿って環状に形成されることを特徴とする請求項１に記載の把持部構造。
【請求項３】
前記把持領域の表面に対して直交方向に突出する環状壁部が、把持領域の周縁部を取り囲むようにして形成されることを特徴とする請求項１又は２に記載の把持部構造。
【発明の詳細な説明】
【技術分野】
【０００１】
本発明は、間接活線用把持具の一対の把持片によって把持される把持部を有するとともに、該間接活線用把持具の操作によって開閉される一対の開閉部材を有する配電器具、例えば、引留クランプを覆うクランプカバーや、充電部を保護するための絶縁シートを固定するクリップなどの把持部構造に関する。
【背景技術】
【０００２】
従来より、間接活線用把持具を用いて、取り付けおよび取り外しが行われる配電器具として、高圧配電線の引き留め部に使用される引留クランプを絶縁状態に覆うためのクランプカバーが知られている（特許文献１参照）。該クランプカバーは、例えば、ヒンジ部で開閉自在に連結される、一対の半割れ状のカバー体（開閉部材）を備えており、該一対のカバー体に、引留クランプを覆うカバー本体部と、該カバー本体部のまわりに形成される、縁線を引き込むための入口筒部と、縁線を引き出すための引出筒部と、碍子と連結される連結部材を覆う碍子連結部とが形成されている。
【０００３】
また、他の配電器具として、前記絶縁シートと前記クリップとが一体化された防護カバーも知られている（特許文献２参照）。該防護カバーは、例えば、先端部が開閉するように構成された一対の把持片と、各把持片の内面に沿うように設けられた絶縁シートとを備えている。
【０００４】
各把持片は、中途部が回動自在に支持され、先端部が常時閉方向に付勢されている。すなわち、基端部を常時開方向に付勢する弾性部材が、該基端部に内挿されることで、先端部が常時閉方向に付勢されている。また、各把持片は、外側に向かって湾曲する湾曲部を有しており、各把持片の先端部が閉じた状態において、各把持片の内面によって略楕円状の閉曲面が形成されている。
【０００５】
絶縁シートは、架空配電線路において、高圧充電部を覆うべく絶縁性および可撓性を有する平面視矩形状のシートからなる。そして、絶縁シートは、端部が各把持片の先端部に固定され、各把持片が閉じられた状態においてその内面に形成された閉曲面に沿うように、配置される。すなわち、絶縁シートが、側面視略楕円状となるように折り曲げられて、充電部の周囲を覆って、クリップによって固定される。
【０００６】
そして、いずれの配電器具も、間接活線用把持具によって把持される把持部が形成されている。すなわち、クランプカバーにおいては、閉じ合わせ部に形成された係止部（把持部）が間接活線用把持具の把持片によって把持され、防護カバーにおいては、各把持片を開閉操作する基端部（把持部）が間接活線用把持具の把持片によって把持される。
【先行技術文献】
【特許文献】
【０００７】
【特許文献１】特開２０００−７８７３２号公報
【特許文献２】特開平９−１９１５１８号公報
【発明の概要】
【発明が解決しようとする課題】
【０００８】
しかしながら、上述したいずれの配電器具も、把持部を間接活線用把持具の各把持片によって把持する際、作業者の立ち位置によって、把持する方向が変わる。このため、その方向によっては、把持部に対して各把持片が略点接触した状態で力が加えられる場合がある。すなわち、点接触している部位が不安定な状態で力が加えられると、点接触している部位が面接触するまでに把持部から外れてしまい、間接活線用把持具の各把持片による開閉操作を何度も繰り返すことになる。つまり、配電器具の取り付けおよび取り外し作業が円滑に行えなくなるという問題がある。
【０００９】
そこで、本発明は、上記問題点を鑑み、配電器具の把持部を、間接活線用把持具の各把持片によって任意の方向から把持しても、確実に把持できるようにして、間接活線工事の作業効率を向上できる把持部構造を提供することを目的とする。
【課題を解決するための手段】
【００１０】
前記課題を解決するために、本発明に係る把持部構造は、間接活線用把持具の把持片の先端部によって任意の方向から把持される把持部を有する把持部構造において、把持片の先端部を係止するように、前記把持部のうち、該先端部が当接する把持領域の周縁部に、複数の係止部が適宜配置され、前記複数の係止部は、把持片の先端部の複数の頂部または複数の辺に係止することを特徴とする。
【００１１】
この場合、間接活線用把持具の把持片の先端部に係止するように、該先端部が当接する把持領域ｄの周縁部に、複数の係止部を適宜配置するようにしたので、先端部の位置が複数の係止部によって固定されて、把持片による把持力が把持部を介して伝達されるようになり、間接活線工事の作業効率が向上する。
【００１３】
また、間接活線用把持具の把持片の先端部の複数の頂部または辺に、把持部の係止部が係止するので、把持片の先端部の位置が確実に固定されるようになり、把持部を把持した際、把持片が把持部から外れることがない。つまり、把持片による把持力が把持部を介して確実に伝達できるようになる。
【００１４】
また、本発明によれば、前記把持部を平面視円形状に形成し、前記係止部を、径内方向に突出する突起部を前記把持領域の周縁部に沿って環状に形成して、係止部を構成するようにしてもよい。
【００１５】
この場合、径内方向に突出する突起部が把持部の周縁部に沿って環状に形成されるので、各突起によって形成される凹凸部が、把持片の先端部の頂部または複数の辺に当接（係止）するようになり、把持部において把持片が位置固定されて、把持部から外れることがなくなる。
【００１６】
また、本発明によれば、前記把持領域の表面に対して直交方向に突出する環状壁部を、把持領域の周縁部を取り囲むようにして形成するような構成を選択することもできる。
【００１７】
この場合、把持片の先端部が当接する把持領域の表面に対して直交方向に突出する環状壁部が、把持部の周縁部を取り囲むようにして形成されるので、環状壁部の内面に、把持片の先端部の頂部または複数の辺が係止することになる。換言すれば、環状壁部の内面に、把持片の先端部の頂部または辺が内接するようになり、把持片が位置固定されるようになる。すなわち把持部から把持片が外れることはない。
【発明の効果】
【００１８】
以上のように、本発明によれば、把持部を有する把持部構造において、間接活線用把持具の把持片の先端部によって任意の方向から把持される把持部のうち、該先端部が当接する把持領域の周縁部に、把持片の先端部を係止するように、複数の係止部を適宜配置したので、前記把持片によって任意の方向から把持部が把持されても、該把持片の先端部が把持部から外れることがなく、把持部を前記各把持片によって確実に把持することができる。したがって、間接活線工事の作業効率を向上することができる効果がある。
【図面の簡単な説明】
【００１９】
【図１】本発明の一実施形態に係る配電器具（クランプカバー）を示す側面図。
【図２】（ａ）は、図１の把持部の平面図、（ｂ）は、図１の把持部の斜視図。
【図３】配電器具の把持部を、間接活線用把持具の一対の把持片によって把持した状態を示す図。
【図４】他の配電器具（引下線用コネクタカバー）に適用した場合の図。
【図５】他の配電器具（電線絶縁用カバー）に適用した場合の図。
【図６】他の配電器具（高圧分岐スリーブカバー）に適用した場合の図。
【図７】他の配電器具（ジャンパスリーブカバー）に適用した場合の図。
【図８】（ａ）は、図１、図４〜図７の配電器具の凹凸嵌合部に適用した場合の正面図、（ｂ）は、図８（ａ）の側面図。
【図９】（ａ）〜（ｄ）は、把持部の変形例を示す図。
【図１０】（ａ）〜（ｄ）は、把持部のさらなる変形例を示す図。
【発明を実施するための形態】
【００２０】
以下、本発明の一実施形態に係る把持部構造について、図１〜図７を参照しつつ説明する。なお、図１、図４〜図７の配電器具は、一対の開閉部材が閉じられた状態を側面視しているため、一方の開閉部材のみが図示されている。
【００２１】
まず、本実施形態に係る配電器具について、高圧線の引留箇所に使用するクランプカバーを例にとって説明する。該クランプカバー１は、図１に示すように、ヒンジ部３を介して開閉自在に連結される一対のカバー体（開閉部材）２，２を備えている。
【００２２】
カバー体２，２は、図示していないが、線対称に配置されており、ヒンジ部３で開閉自在に連結されるとともに、カバー体２，２の開閉端側に閉じ合わせ部２ａ，２ａが形成されている。そして、前記一対のカバー体２，２には、引留クランプ（図示せず）を覆うカバー本体部５のまわりに、縁線（図示せず）を引き込むための挿入筒部６、および縁線を引き出すための引出筒部７と、碍子と連結される連結部材（図示せず）を覆うための碍子連結部８と、各カバー体２，２の閉じ合わせ部２ａ，２ａの両側部に形成された一対の凹凸嵌合部と、該各凹凸嵌合部の間に形成された、後述する間接活線用把持具２０の一対の把持片２２，２３によって把持される一対の把持部１０とを備えている。そして、凹凸嵌合部は、嵌合孔９ａを有する延出片９Ａと、嵌合凸部９ｂを有する延出片９Ｂとで構成されている。該各延出片９Ａ，９Ｂは、閉じ合わせ部２ａ，２ａに対して直交方向に延出されている。
【００２３】
該把持部１０は、カバー体２，２の閉じ合わせ部２ａ，２ａから外方、すなわち開閉端に対して直交方向に延出されて形成されている。そして、図２（ａ），（ｂ）に示すように、平面視円形状の基板１１と、該基板１１の周縁部に形成された環状壁部１２と、該環状壁部１２の内面に沿って等間隔に連続して、すなわち環状に形成された扇形状の突起部１３，…と、基板１１の表面、および後述する各突起部１３，…のテーパ面１３ｂ，１３ｂにより形成される凹部１４とを有している。そして、環状壁部１２と突起部１３，…とで係止部が構成される。基板１１の表面および裏面、すなわち各把持片２２，２３の先端部２２ａ，２３ａの把持面２２ｂ，２３ｂが当接する把持領域ｄに格子状の滑り止め１５が形成されている。また、突起１３，…は、環状壁部１２の内面側に位置する円弧面１３ａと、該円弧面１３ａの両端部から、円弧面１３ａの中心を通る直線（３６度毎の中心線）に交差するように、径内方向に突出して形成されたテーパ面１３ｂ，１３ｂとを有している。
【００２４】
ここで、間接活線用把持具２０の構成について簡単に説明する。該間接活線用把持具２０は、図３に示すように、長尺の絶縁棒２１と、該絶縁棒２１の先端部に外側に向かって湾曲して形成された固定側把持片２２と、該固定側把持片２２の先端部に対して開閉するように、中途部が固定側把持片２２の基端部に回動自在に連結された可動側把持片２３と、該可動側把持片２３の基端部に連結されるとともに、絶縁棒２１の基端部に取り付けられた操作レバー（図示せず）に連結された絶縁性の操作棒２５とを備えている。そして、操作レバーは、常時開方向に弾性付勢されるように構成されるとともに、この弾性付勢によって、可動側把持片２３の先端部２３ａは、固定側把持片２２の先端部２２ａから常時離間した状態になっている。また、各把持片２２，２３の先端部２２ａ，２３ａの把持面２２ｂ，２３ｂは、図２（ａ）の鎖線に示すように、四角形状を呈している。
【００２５】
つぎに使用態様について説明する。間接活線用把持具２０の操作レバー（図示せず）を引き操作して、間接活線用把持具２０の固定側把持片２２および可動側把持片２３を互いに近接させることで、図３に示すように、クランプカバー１の把持部１０が把持されるようになる。この際、図２（ａ）の鎖線に示すように、いずれか一方の把持片、例えば固定側把持片２２の４つの頂部２６，…および該各頂部２６，…を形成する一対の辺２７，２７に、突起部１３のテーパ面１３ｂ，１３ｂが当接するようになり、固定側把持片２２の先端部２２ａが位置固定されて、把持部１０から外れることがなくなる。したがって、固定側把持片２２が位置固定された状態で、可動側把持片２３が操作レバーによって可動するようになるので、把持部１０を確実に把持することができる。この際、各把持片２２，２３を介して伝達される把持力によって、クランプカバー１の取り付け及び取り外し作業が円滑に行われるようになる。すなわち、間接活線用把持具２０による間接活線工事の作業効率が向上する。この場合、図２（ａ）の鎖線に示すように、固定側把持片２２の各頂部２６，…および辺２７，２７に、突起部１３が当接して、固定側把持片２２の先端部２２ａが位置固定されるとしたが、固定側把持片２２の先端部２２ａの一部が突起部１３から外れたとしても、残りの部位が突起部１３および環状壁部１２に当接することで、前記先端部２２ａが位置固定されるようになる。つまり、任意の方向から間接活線用把持具２０の一対の把持片２２，２３で把持部１０を把持しても、把持片２２，２３が把持部１０から外れることはない。
【００２６】
なお、本発明は、前記各実施形態に限定されることなく、発明の要旨を逸脱しない限りにおいて、適宜、必要に応じて、設計変更や改良等を行うのは自由であり、また、その構成の組み合わせも自由である。
【００２７】
例えば、前記実施形態の場合、図２に示す把持部を有する配電器具としてクランプカバー１を例にとって説明したが、これに限定されるものではなく、他の配電器具、例えば引下線用コネクタカバー、電線絶縁用カバー、高圧分岐スリーブカバー、ジャンパスリーブカバーにも適用できる。以下、これらの配電器具について順次説明する。
【００２８】
まず、架空配電線から引下線を分岐させる分岐コネクタを保護するための引下線用コネクタカバーについて図４を参照して説明する。該引下線用コネクタカバー３０は、ヒンジ部３２を介して開閉自在に連結される一対のカバー体３１，３１と、電線（図示せず）を引き込むための挿入筒部３３、および電線を引き出すための引出筒部３４とを備えている。そして、引下線用コネクタ（図示せず）を保護するための断面が等脚台形状の保護部３５がカバー本体３１，３１の中央部に形成されている。さらに、カバー体３１，３１の閉じ合わせ部３１ａ，３１ａの両端部に、嵌合孔３６ａを有する延出片３６と、嵌合凸部３７ａを有する延出片３７とが形成されている。また、間接活線用把持具２０の一対の把持片２２，２３によって把持される把持部３８が、保護部３５におけるカバー体３１，３１の閉じ合わせ部３１ａ，３１ａの中央部に形成されている。この把持部３８を含めて、後述する把持部４５，５５，６５，６５０は、図１の把持部１０と同じ構成であるため、説明は省略する。
【００２９】
つぎに、架空配電線の芯線露出部や接続部などを絶縁保護する電線絶縁用カバーについて図５を参照して説明する。該電線絶縁用カバー４０は、ヒンジ部４２を介して開閉自在に連結される一対のカバー体４１，４１と、電線（図示せず）を引き込むための挿入筒部４３、および電線を引き出すための引出筒部４４とを備えている。そして、間接活線用把持具２０の一対の把持片２２，２３によって把持される一対の把持部４５が、カバー体４１，４１の閉じ合わせ部４１ａ，４１ａの中央部に形成されている。また、カバー体４１，４１の閉じ合わせ部４１ａ，４１ａの両端部に、嵌合孔４６ａを有する延出片４６と、嵌合凸部４７ａを有する延出片４７とが形成されている。また、カバー体４１，４１は、長さが約１６ｃｍに設定され、挿入筒部４３および引出筒部４４は、直径が約２ｃｍに設定されている。
【００３０】
つぎに、分岐接続部のない接続導体を絶縁保護する高圧分岐スリーブカバーについて図６を参照して説明する。該高圧分岐スリーブカバー５０は、ヒンジ部５２を介して開閉自在に連結される一対のカバー体（開閉部材）５１，５１と、電線（図示せず）を引き込むための挿入筒部５３、および電線を引き出すための引出筒部５４とを備えている。そして、カバー体５１，５１の閉じ合わせ部５１ａ，５１ａにおいて、挿入筒部側、中央部、引出筒部側にそれぞれ凹凸嵌合部が形成され、各凹凸嵌合部の間に一対の把持部５５が形成されている。また、凹凸嵌合部は、カバー体５１，５１の閉じ合わせ部５１ａ，５１ａから外方に延出される、嵌合孔５６ａを有する延出片５６と、嵌合凸部５７ａを有する延出片５７とで構成されている。また、カバー体５１，５１は、長さが約３０ｃｍ、挿入筒部５３は、直径が約３ｃｍ、引出筒部５４は、直径が約１．５ｃｍに設定されている。
【００３１】
つぎに、架空配電線の電線同士をジャンパ線で接続して仮送電を行う場合に、該ジャンパ線の接続箇所を絶縁保護するジャンパスリーブカバーについて図７を参照して説明する。該ジャンパスリーブカバー６０は、ヒンジ部６２を介して開閉自在に連結される半割れ状の一対のカバー体（開閉部材）６１，６１と、電線（図示せず）を引き込むための挿入筒部６３、および電線を引き出すための引出筒部６４とを備えている。そして、一方のカバー体６１において、ヒンジ部６２の反対側に形成された延出部６１ａの両端部に嵌合凸部６１ｂが形成されている。さらに、他方のカバー体６１において、各嵌合凸部６１ｂに応じた位置に、延出片６１ｃが形成されるとともに、該延出片６１ｃに嵌合孔６１ｄが形成されている。そして、これら凹凸嵌合部の間に一対の把持部６５，６５が形成されている。また、カバー体６１，６１は、断面が楕円状を呈しており、長さが３０ｃｍに設定されている。また、挿入筒部６３および引出筒部６４は、直径が約１．５ｃｍに設定されている。
【００３２】
また、上述した各把持部１０，３８，４５，５５，６５は、各配電器具１，３０，４０，５０，６０の凹凸嵌合部に適用することもできる。例えば、図８（ａ），（ｂ）に示すように、嵌合孔６１０ｄの形成された延出片６１０ｃの一面に前記把持部６５０を形成するようにしてもよい。この場合、嵌合凸部６１０ｂが嵌合孔６１０ｄに嵌合された際、嵌合凸部６１０ｂの先端部が把持部６５０側に突出しないように、嵌合孔６１０ｄの把持部６５０側の開口周縁部に凹部６１０ｅが形成されている。
【００３３】
また、前記実施形態の場合、平面視円形状の基板１１を有する把持部１０，３８，４５，５５，６５としたが、図９（ａ）に示すように、四角形状の基板１１Ａを有する把持部１０Ａであってもよい。この場合、基板１１Ａの端縁部に沿って形成された四角環状壁部１２Ａと、該四角環状壁部１２Ａの角部に配置された三角形状の係止部１３Ａ，…とによって、任意の方向からの把持が可能になる。また、図９（ｂ）に示すように、三角形状の基板１１Ｂを有する把持部１０Ｂであってもよく、該把持部１０Ｂは、三角形状の基板１１Ｂの端縁部に沿って形成された三角環状壁部１２Ｂと、該三角環状壁部１２Ｂの角部に配置された三角形状の係止部１３Ｂ，…とで構成される。また、図９（ｃ）に示すように、平面視円形状の基板１１Ｃを有する把持部１０Ｃであってもよく、該把持部１０Ｃは、平面視円形状の基板１１Ｃの端縁部に沿って形成された円環状壁部１２Ｃと、平面視六角形状の凹部１４Ｃが基板１１Ｃに形成されるように、円環状壁部１２Ｃの内面に沿って配置された複数の係止部１３Ｃ，…とで構成されている。また、図９（ｄ）に示すように、平面視楕円形状の基板１１Ｄを有する把持部１０Ｄであってもよく、該把持部１０Ｄは、基板１１Ｄの端縁部に沿って形成された楕円環状壁部１２Ｄと、間接活線用把持具２０の把持片２２，２３の先端部２２ａ，２３ａの頂部２６，…が内接するように、長軸および短軸の両側に配置された円弧形状の第２係止部１３Ｄ，…と、各第２係止部１３Ｄ，…間に配置された直角三角形状の第３係止部１３Ｅ，…とで構成されている。いずれの場合も、間接活線用把持具２０の把持片２２，２３の先端部２２ａ，２３ａの形状が、角形状のものに好適である。
【００３４】
また、把持部としては、図１０（ａ）に示すように、平面視四角形状の基板１１０Ａの角部に、円柱状の第１係止部１２０Ａ，…を配置するとともに、各第１係止部１２０Ａ，…の間に、二等片三角形状の第２係止部１３０Ａ，…を配置するようにした把持部１００Ａであってもよい。また、図１０（ｂ）に示すように、平面視三角形状の基板１１０Ｂの各頂部に、円柱状の第１係止部１２０Ｂ，…を配置するとともに、各第１係止部１２０Ｂ，…の間に、二等片三角形状の第２係止部１３０Ｂ，…を配置するようにした把持部１００Ｂであってもよい。また、図１０（ｃ）に示すように、平面視円角形状の基板１１０Ｃの周縁部に、円柱状の第１係止部１２０Ｃ，…を等間隔に６個配置するとともに、各第１係止部１２０Ｃ，…の間に、平板状の第２係止部１３０Ｃ，…を配置するようにした把持部１００Ｃであってもよい。また、図１０（ｄ）に示すように、平面視楕円形状の基板１１０Ｄの短軸方向および長軸方向のそれぞれにおいて、間接活線用把持具２０の把持片２２，２３の先端部２２ａ，２３ａを位置固定できる位置に、円柱状の第１係止部１２０Ｄ，…を配置するとともに、短軸及び長軸上に平板状の第２係止部１３０Ｄ，…を配置するようにした把持部１００Ｄであってもよい。いずれの場合も、間接活線用把持具２０の把持片２２，２３の先端部２２ａ，２３ａの形状に関係なく、間接活線用把持具２０の把持片２２，２３の先端部２２ａ，２３ａを位置固定できる。すなわち間接活線用把持具２０の把持片２２，２３の先端部２２ａ，２３ａの形状が円形状、非円形状のいずれであってもよい。要は、間接活線用把持具２０の把持片２２，２３の先端部２２ａ，２３ａを位置固定できる構成であればよい。
【００３５】
また、前記実施形態の場合、一つの把持部１０を、間接活線用挟持具２０の一対の把持片２２，２３で把持できる構造を例にとって説明したが、一対の把持部を、間接活線用把持具２０の一対の把持片２２，２３で把持する場合にも適用できる。例えば、［背景技術］で説明した、充電部を保護するための絶縁シートを固定するクリップにも適用できることは言うまでもない。
【００３６】
また、前記実施形態の場合、間接活線用把持具２０の一対の把持片２２，２３によって把持される把持部１０の把持領域ｄを、該把持部１０の表面および裏面に形成するようにしたが、いずれか一方の面だけであってもよい。
【００３７】
また、前記実施形態の場合、一対の把持片２２，２３を有する間接活線用把持具２０を例にとって説明したが、一方の二股状の把持片と、該二股状の把持片の間に挿脱される他方の円弧状の把持片とを有する間接活線用把持具（所謂ヤットコクイック）にも適用できる（図示せず）。この場合、把持部の中央に、他方の把持片の先端部が挿脱可能な挿入孔を形成する必要がある。
【符号の説明】
【００３８】
１…クランプカバー、２，３１，４１，５１，６１…カバー体、２ａ，３１ａ，４１ａ，５１ａ，６１ａ…閉じ合わせ部、３，３２，４２，５２，６２…ヒンジ部、５…カバー本体部、６，３３，４３，５３，６３…挿入筒部、７，３４，４４，５４，６４…引出筒部、８…碍子連結部、９Ａ，９Ｂ，３６，３７，６１ｃ…延出片、９ａ，３６ａ，６１ｄ…嵌合孔、９ｂ，３７ａ，６１ｂ…嵌合凸部、１０，３８，４５，５５，６５，１０Ａ〜１０Ｄ，１００Ａ〜１００Ｄ，６５０…把持部、１１，１１Ａ〜１１Ｄ，１１０Ａ〜１１０Ｄ…基板、１２，１２Ａ〜１２Ｄ，…環状壁部、１３…突起部、１３Ａ〜１３Ｅ，１２０Ａ〜１２０Ｄ，１３０Ａ〜１３０Ｄ…係止部、１３ａ…円弧面、１３ｂ…テーパ面、１４，１４Ｃ…凹部、２０…間接活線用把持具、２１…絶縁棒、２２…固定側把持片、２２，２３…把持片、２２ａ，２３ａ…先端部、２２ｂ，２３ｂ…把持面、２３…可動側把持片、２３ａ…先端部、２５…操作棒、２６…頂部、２７…辺、３０…引下線用コネクタカバー、３５…保護部、４０…電線絶縁用カバー、５０…高圧分岐スリーブカバー、６０…ジャンパスリーブカバー、６１ａ…延出部、６１０ｅ…凹部、ｄ…把持領域
【図１】
0005546946.tif 000002
【図２】
0005546946.tif 000003
【図３】
0005546946.tif 000004
【図４】
0005546946.tif 000005
【図５】
0005546946.tif 000006
【図６】
0005546946.tif 000007
【図７】
0005546946.tif 000008
【図８】
0005546946.tif 000009
【図９】
0005546946.tif 000010
【図１０】
0005546946.tif 000011